(57)【要約】【課題】建て付け時に框体の小口を露出させることがなく、また建て付け作業も容易にすることのできる引戸及び引戸の取付方法を提供する。【解決手段】空間の上側に設けられる上レール部５に沿って移動可能な框体１３を有し、框体１３の上側コーナー部に取付けられるコーナー部品２１と、上レール部５に係合可能な転倒防止部品２２とを備え、コーナー部品２１は框体１３の縦辺の見付方向外側から転倒防止部品２２を挿入させる挿通部２１ｅを有し、挿通部２１ｅには転倒防止部品２２を弾発係合させる係合部２１ｆが形成されて、転倒防止部品２２がコーナー部品２１に対して取付自在とされる。【選択図】図１１
2015010393.tif 000002
【特許請求の範囲】
【請求項１】
空間の上側に設けられる上レール部に沿って移動可能な框体を有する引戸であって、
前記框体の上側コーナー部に取付けられるコーナー部品と、前記上レール部に係合可能な転倒防止部品とを備え、該転倒防止部品は前記コーナー部品に対して取付自在とされてなることを特徴とする引戸。
【請求項２】
前記上レール部は長手方向に沿って所定幅の上開口部を有し、前記コーナー部品は前記上開口部の両縁部に摺接自在となる幅を有してなることを特徴とする請求項１記載の引戸。
【請求項３】
前記上レール部は前記上開口部の両縁部からそれぞれ上方に伸びて前記コーナー部品が摺接する案内突部を有し、前記転倒防止部品は、一方の前記案内突部の前記コーナー部品が摺接する面と反対側の面に近接対向する掛かり部を有することを特徴とする請求項２記載の引戸。
【請求項４】
前記コーナー部品及び転倒防止部品は、前記框体の上側両端部にそれぞれ取付けられ、両端部の転倒防止部品の前記掛かり部は、前記上開口部の両側の前記案内突部のうち同じ側に対し近接対向することを特徴とする請求項３記載の引戸。
【請求項５】
前記コーナー部品は前記框体の縦辺の見付方向外側から前記転倒防止部品を挿入させる挿通部を有し、該挿通部には前記転倒防止部品を弾発係合させる係合部が形成されてなることを特徴とする請求項１〜４のいずれか１項に記載の引戸。
【請求項６】
前記係合部は先端部に係合片を有し弾性変形自在に形成され、前記転倒防止部品は前記挿通部に挿入自在な挿入片部を有すると共に、該挿入片部には前記係合片が係合自在な係合孔部を有することを特徴とする請求項５記載の引戸。
【請求項７】
空間の上側に設けられる上レール部に沿って移動可能な框体を有する引戸の取付方法において、
前記框体の上側コーナー部にコーナー部品を予め固定しておき、前記引戸の上辺を前記上レール部に案内されるように納めると共に、前記引戸の下辺を建物に設けられた下レール部に載置して建て付け、
建て付けられた前記引戸のコーナー部品に対し転倒防止部品を取付けることを特徴とする引戸の取付方法。
【発明の詳細な説明】
【技術分野】
【０００１】
本発明は、室内を仕切る可動式の引戸及びその引戸の取付方法に関し、特に上レール部に案内されてその転倒を防止できる引戸及び引戸の取付方法に関する。
【背景技術】
【０００２】
建物の室内を仕切るために設けられる可動式の引戸として、天井に設けられる上レール部と床面に設けられる下レール部とに案内されるものがある。このような引戸の下端部には戸車が設けられて、この戸車が下レール部に載置されることにより、引戸を下レール部に沿って円滑に移動させることができる。この場合、引戸の上辺部は溝状の上レール部に飲み込まれ、上レール部に摺接することによって長手方向に案内される。引戸を建て付ける際には、引戸の上辺を上レール部に対して深く挿入し、その状態から戸車を下レール部に載置するように引き下ろす、いわゆるけんどん式が採用されることがある。
【０００３】
けんどん式が採用された引戸においては、上端部の横框と縦框との連結部分に設けられるコーナー部品が、上レール部に対して摺接する部分となる。コーナー部品は樹脂材によって形成されるため、摺接の際に金属材同士が接触することがなく、引戸の移動を円滑にすることができる。このコーナー部品は、横框の端面と縦框の端面を塞ぐ機能も有している。
【０００４】
引戸は、横框と縦框を框組みしてなる框体内にパネル体を納めて構成されるが、引戸に衝撃が加わった場合には、框体が撓み戸車が下レール部から脱線してしまうことにより、上レール部に対する挿入部分が外れて、引戸が転倒してしまう可能性がある。これを防止するため、コーナー部品に転倒防止部を設けている。このような転倒防止部を有した引戸としては、例えば特許文献１に挙げるようなものがある。
【先行技術文献】
【特許文献】
【０００５】
【特許文献１】特開２００８−１９６２７号公報
【発明の概要】
【発明が解決しようとする課題】
【０００６】
転倒防止部は、戸車が脱線して引戸の上辺が上レール部から外れそうになっても、上レール部に対して引っ掛かるような形状を有している。このため、転倒防止部が引戸に取付けられた状態では、引戸を建て付けることができない。したがって、転倒防止部が框体に取付けられていない状態で引戸を建て付け、その後に転倒防止部を引戸に取付けるという手順を取る必要がある。
【０００７】
引戸の工場からの輸送時や現場での建て付け時には、引戸にコーナー部品が取付けられていない状態であるので、金属製の框体の小口が露出した状態となり、これを覆うなど危険性を回避するための手段を講じる必要があった。また、引戸の上端部に設けられるコーナー部品を建て付け後に取付けるのは、高所での作業となるため、作業性も良いとは言えなかった。
【０００８】
本発明は前記課題を鑑みてなされたものであり、建て付け時に框体の小口を露出させることがなく、また建て付け作業も容易にすることのできる引戸及び引戸の取付方法を提供することを目的とする。
【課題を解決するための手段】
【０００９】
前記課題を解決するため、請求項１の発明に係る引戸は、空間の上側に設けられる上レール部に沿って移動可能な框体を有する引戸であって、
前記框体の上側コーナー部に取付けられるコーナー部品と、前記上レール部に係合可能な転倒防止部品とを備え、該転倒防止部品は前記コーナー部品に対して取付自在とされてなることを特徴として構成されている。
【００１０】
請求項１に係る発明によれば、転倒防止部品を引戸の建て付け時に取付けることができるので、コーナー部品は予め框体に取付けておくことができ、引戸の輸送時や建て付け時に框体の小口を露出させない手段を別途講じることを不要とすることができる。
【００１１】
また、請求項２の発明に係る引戸は、前記上レール部は長手方向に沿って所定幅の上開口部を有し、前記コーナー部品は前記上開口部の両縁部に摺接自在となる幅を有してなることを特徴として構成されている。
【００１２】
請求項２に係る発明によれば、コーナー部品に引戸の上辺を案内する機能を持たせることができる。
【００１３】
さらに、請求項３の発明に係る引戸は、前記上レール部は前記上開口部の両縁部からそれぞれ上方に伸びて前記コーナー部品が摺接する案内突部を有し、前記転倒防止部品は、一方の前記案内突部の前記コーナー部品が摺接する面と反対側の面に近接対向する掛かり部を有することを特徴として構成されている。
【００１４】
請求項３に係る発明によれば、引戸が転倒しそうになった場合に掛かり部が案内突部に確実に引っ掛かり、転倒を防止することができる。
【００１５】
さらにまた、請求項４の発明に係る引戸は、前記コーナー部品及び転倒防止部品は、前記框体の上側両端部にそれぞれ取付けられ、両端部の転倒防止部品の前記掛かり部は、前記上開口部の両側の前記案内突部のうち同じ側に対し近接対向することを特徴として構成されている。
【００１６】
請求項４に係る発明によれば、框体の両端部で掛かり部が上レール部に引っ掛かることにより確実に引戸の転倒防止をなすことができる。
【００１７】
そして、請求項５の発明に係る引戸は、前記コーナー部品は前記框体の縦辺の見付方向外側から前記転倒防止部品を挿入させる挿通部を有し、該挿通部には前記転倒防止部品を弾発係合させる係合部が形成されてなることを特徴として構成されている。
【００１８】
請求項５に係る発明によれば、建て付けた引戸に対し転倒防止部品を容易に取付けることができる。
【００１９】
また、請求項６の発明に係る引戸は、前記係合部は先端部に係合片を有し弾性変形自在に形成され、前記転倒防止部品は前記挿通部に挿入自在な挿入片部を有すると共に、該挿入片部には前記係合片が係合自在な係合孔部を有することを特徴として構成されている。
【００２０】
請求項６に係る発明によれば、転倒防止部品をコーナー部品に挿入するだけで、転倒防止部品を固定すると共にコーナー部品から抜けないようにすることができる。
【００２１】
さらに、請求項７の発明に係る引戸の取付方法は、空間の上側に設けられる上レール部に沿って移動可能な框体を有する引戸の取付方法において、
前記框体の上側コーナー部にコーナー部品を予め固定しておき、前記引戸の上辺を前記上レール部に案内されるように納めると共に、前記引戸の下辺を建物に設けられた下レール部に載置して建て付け、
建て付けられた前記引戸のコーナー部品に対し転倒防止部品を取付けることを特徴として構成されている。
【００２２】
請求項７に係る発明によれば、コーナー部品を框体の製造時に予め取付けておくことで、輸送時や建て付け時に框体の端面を露出させないようにすることができると共に、転倒防止部品を容易に取付けることができる。
【発明の効果】
【００２３】
本発明に係る引戸によれば、框体の上側コーナー部に取付けられるコーナー部品と転倒防止部品とを別部品とし、転倒防止部品を建て付けた状態の引戸のコーナー部品に対し取付自在としたことで、コーナー部品によって建て付け時に框体の小口を露出させることがなく、また転倒防止部品も容易に取付けることができるので、建て付け作業も容易にすることができる。
【図面の簡単な説明】
【００２４】
【図１】本実施形態における引戸の正面図である。
【図２】本実施形態の引戸の縦断面図である。
【図３】本実施形態の引戸の横断面図である。
【図４】図２のうち引戸の上端部付近拡大図である。
【図５】引戸の上側コーナー部付近拡大斜視図である。
【図６】コーナー部品の斜視図である。
【図７】コーナー部品の断面図である。
【図８】転倒防止部品の斜視図である。
【図９】小口塞ぎ部品と転倒防止部品を一体化した状態の断面図である。
【図１０】コーナー部品が取付けられていない状態の框体の上側コーナー部付近の拡大斜視図である。
【図１１】コーナー部品が取付けられた框体の上側コーナー部付近の拡大斜視図である。
【発明を実施するための形態】
【００２５】
本発明の実施形態について図面に沿って詳細に説明する。図１には、本実施形態における引戸の正面図を示している。本実施形態の引戸１は、建物の部屋内に設置されて３枚が引き違い状に連設されている。各引戸１は、それぞれ左右方向に移動自在となっており、室内における可動式の間仕切りとして使用される。
【００２６】
引戸１は、横框である上框１０及び下框１１と左右の縦框１２，１２とを方形状に框組みしてなる框体１３内に、パネル体１４を納めて構成されている。本実施形態では、パネル体１４は透明あるいは半透明の樹脂パネルからなっている。ただし、パネル体１４としてはその他の素材のものであってもよい。
【００２７】
図２には本実施形態の引戸の縦断面図を、図３には本実施形態の引戸の横断面図を、それぞれ示している。３枚の引戸１は、見込方向に異なる位置となるように配置され、縦框１２同士は召合わせ状となるように配置されている。
【００２８】
部屋の空間の上側を構成する天井２には、引戸１の上辺を案内する上レール部５が取付けられている。また、床面３には、引戸１の下辺を案内する下レール部６が３本、並設配置されている。各引戸１は、上レール部５に上端部が飲み込まれ、下レール部６に戸車１１ｂを載置することにより、引戸１の下辺が下レール部６に沿って走行自在であると共に、引戸１の上辺が上レール部５に沿って案内される。
【００２９】
框体１３を構成する上框１０は、内周面にパネル体１４の周縁部を納めて固定するパネル体挿入溝１０ａを有している。また、上框１０の外周面には、突出状の上突部１０ｂが形成されており、上突部１０ｂが上レール部５内に進入している。この部分の構造については後で詳述する。
【００３０】
框体１３を構成する下框１１は、内周面にパネル体１４の周縁部を納めて固定するパネル体保持溝１１ａを有している。また、下框１１の下端部には、戸車１１ｂが設けられて下レール部６に載置されている。
【００３１】
框体１３を構成する縦框１２は、内周面にパネル体１４の周縁部を納めて固定するパネル体保持溝１２ａを有している。縦框１２の外周面には、引戸１が開閉する際の壁面４に対する衝撃を緩和するため、当たり部材１２ｃが長手方向に沿って設けられている。
【００３２】
引戸１の上端部と上レール部５の構成について詳細に説明する。図４には、図２のうち引戸の上端部付近拡大図を示している。天井２に固定される上レール部５は、見込方向に複数の垂下部１５を有している。垂下部１５の下端部からは水平方向に伸びる水平部１６がそれぞれ形成されている。見込方向端部にある垂下部１５からは、上レール部５の中央側のみに向かって水平部１６が形成されており、見込方向中間部にある垂下部１５からは、見込方向両側に向かってそれぞれ水平部１６が形成されている。
【００３３】
互いに向かい合う水平部１６間は、上レール部５の長手方向に沿って開口する上開口部１７となる。上開口部１７の両縁部となる水平部１６の端部からは、上方に向かって案内突部１８がそれぞれ形成されている。案内突部１８により、上開口部１７の開口幅を有する空間が形成され、上框１０の上突部１０ｂが納められる。
【００３４】
框体１３において横框である上框１０と縦框１２とが連結される上側コーナー部には、コーナー部品２１が取付けられる。框体１３における上側コーナー部は、上框１０の両端部に形成され、その各々にコーナー部品２１が設けられる。コーナー部品２１は、樹脂材によって構成されている。
【００３５】
コーナー部品２１は、上框１０の上突部１０ｂよりも若干、大きい幅を有しており、両側の側面部２１ｃがそれぞれ上レール部５の案内突部１８に対して当接し、摺接自在となっている。すなわち、引戸１を移動させる際には、金属材からなる上框１０は上レール部５に直接接触せず、樹脂材からなるコーナー部品２１が上レール部５に摺接する。このように上レール部５に対しては樹脂材のみが摺接するので、引戸１の円滑な開閉をなすことができる。
【００３６】
コーナー部品２１には、金属材からなる転倒防止部品２２が取付けられている。転倒防止部品２２は、コーナー部品２１の上面から平行に伸びると共に、案内突部１８のうち、コーナー部品２１が摺接する面と反対側の面に近接対向する掛かり部２２ａを有している。掛かり部２２ａを含め、転倒防止部品２２は通常の状態において上レール部５とは接触していない。
【００３７】
一方で、引戸１の戸車１１ｂが外力などによって下レール部６から脱線した場合、引戸１が傾倒して、上框１０の上突部１０ｂが上開口部１７から外れそうになるが、この際に掛かり部２２ａが上レール部５に対して引っ掛かることにより、引戸１が転倒することを防止することができる。
【００３８】
上レール部５に形成された上開口部１７の縁部及び案内突部１８は、一枚の引戸１に対し見込方向両側に存在するが、上框１０の両端部に設けられる２つの転倒防止部品２２は、それぞれ同じ側の案内突部１８に対して近接対向する形状を有している。これにより、引戸１が外れそうになった場合に、上レール部５に対し各掛かり部２２ａが確実に引っ掛かって引戸１の転倒を防止できると共に、その場合にも框体１３に無理な力が加わって破損することを防止することができる。
【００３９】
図５には、引戸１の上側コーナー部付近拡大斜視図を示している。コーナー部品２１は、連結される上框１０の端面を塞ぐ横閉塞部２１ａと、連結される縦框１２の上端面を塞ぐ縦閉塞部２１ｂとを有しており、上框１０や縦框１２の端面が露出しないようにしている。転倒防止部品２２は、コーナー部品２１の上部を覆うような形状に形成されており、一側部に掛かり部２２ａが形成されている。
【００４０】
図６には、コーナー部品２１の斜視図を示している。コーナー部品２１は全体がブロック状に形成されてなり、その側面部２１ｃが前述の通り、上レール部５の案内突部１８に対し摺接する面となる。コーナー部品２１の下面には、縦框１２に対して固定するための固定部２１ｄが形成されている。また、コーナー部品２１のうち縦框１２の外側面側の面には、転倒防止部品２２を挿通させる空間状の挿通部２１ｅが形成されており、その奥側には片持ち梁状の係合部２１ｆが形成される。
【００４１】
図７には、コーナー部品２１の断面図を示している。挿通部２１ｅは、コーナー部品２１を貫通するように形成されており、その先には係合部２１ｆが形成されている。係合部２１ｆは、片持ち梁状に形成されているため、上下に弾性変形可能である。また、係合部２１ｆには下面側に突起状の係合片２１ｇが形成されている。
【００４２】
図８には、転倒防止部品２２の斜視図を示している。転倒防止部品２２には、掛かり部２２ａを有する平面部分と平行な挿入片部２２ｂが形成されており、その先端近傍には係合孔部２２ｃが形成されている。
【００４３】
図９には、コーナー部品２１と転倒防止部品２２を一体化した状態の断面図を示している。転倒防止部品２２は、挿入片部２２ｂがコーナー部品２１の挿通部２１ｅに対して差し込まれる。挿入に伴い挿入片部２２ｂの先端部がコーナー部品２１の係合片２１ｇまで達すると、係合部２１ｆは弾性変形して上側に持ち上げられ、さらに挿入片部２２ｂを挿入すると、係合片２１ｇは挿入片部２２ｂの係合孔部２２ｃに対し弾発係合する。これにより、転倒防止部品２２はコーナー部品２１に対して固定され、転倒防止部品２２を挿通部２１ｅから取り出す方向に力を加えても、抜けないようにすることができる。
【００４４】
このように、転倒防止部品２２の挿入片部２２ｂをコーナー部品２１の挿通部２１ｅに挿入するだけで、弾発係合により両者が固定されるので、転倒防止部品２２の取付作業を容易にすることができる。
【００４５】
次に、引戸１の取付工程について説明する。引戸１は、工場内で組み立てられ、建て付けられる現場に輸送される。図１０には、コーナー部品２１が取付けられていない状態の框体１３の上側コーナー部付近の拡大斜視図を示している。上框１０は、端部が縦框１２のパネル体挿入溝１２ａに飲み込まれ、縦框１２と連結固定される。縦框１２の外側面には、コーナー部品２１を固定するための固定孔１２ｂが形成されている。框体１３を框組みした状態では、図１０のように上框１０や縦框１２の端面が露出した状態となっている。なお、図１０の状態において、パネル体１４は框体１３内に納められている。
【００４６】
図１１には、コーナー部品２１が取付けられた框体１３の上側コーナー部付近の拡大斜視図を示している。コーナー部品２１を框体１３の上側コーナー部に取付けると、コーナー部品２１の横閉塞部２１ａにより上框１０の端部露出面部が、縦閉塞部２１ｂにより縦框１２の端部露出面部が、それぞれ被覆されて露出しないようにすることができる。また、この状態において、コーナー部品２１の挿通部２１ｅは、縦框１２の見付方向外側に向かって開口するように配置され、転倒防止部品２２を縦框１２の見付方向外側から挿入することができる状態とされる。なお、図１１では縦框１２に当たり部材１２ｃも取付けられている。
【００４７】
工場内では、框体１３を框組みすると共に、框体１３の上側コーナー部にコーナー部品２１を固定するところまで行い、その状態で引戸１が出荷される。この際、転倒防止部品２２をコーナー部品２１の挿通部２１ｅに対し、係合しない程度の浅い位置まで挿入し、仮止めしておくことで、現場での作業を円滑にすることができる。
【００４８】
引戸１を建て付ける現場では、仮止めしておいた転倒防止部品２２を一旦取り外しておき、引戸１の上辺を上レール部５に対して深く挿入し、その状態から引戸１を引き下ろして戸車１１ｂを下レール部６に載置し、引戸１を設置する。その後に、転倒防止部品２２をコーナー部品２１の挿通部２１ｅから挿入する。
【００４９】
図１１には上レール部５が表されていないが、実際には転倒防止部品２２の掛かり部２２ａと上レール部５とが干渉するので、転倒防止部品２２を傾けて、掛かり部２２ａが案内突部１８に引っ掛かるように上開口部１７の下方から差入れ、その上で転倒防止部品２２を上レール部５の長手方向に沿ってスライドさせることで、転倒防止部品２２の挿入片部２２ｂをコーナー部品２１の挿通部２１ｅに対し挿入することができる。
【００５０】
転倒防止部品２２の挿入片部２２ｂをコーナー部品２１の挿通部２１ｅに挿入すると、挿入片部２２ｂの係合孔部２２ｃに対しコーナー部品２１の係合片２１ｇが弾発係合し、転倒防止部品２２をコーナー部品２１に固定して抜けないようにすることができる。このとき、転倒防止部品２２は図４に示すように上レール部５とは直接接触しないので、通常の使用時において金属材同士が接触しないようにして、引戸１の開閉を円滑にすることができる。
【００５１】
このように、框体１３の上側コーナー部に樹脂製のコーナー部品２１と金属製の転倒防止部品２２とを取付けるようにし、予め框体１３に取付けられたコーナー部品２１に対し、転倒防止部品２２を引戸１の建て付け後に縦框１２の見付方向外側から挿入して弾発係合させるようにしたことで、コーナー部品２１を工場で予め取付けておくことができるので、上框１０や縦框１２の端面を露出させることなく輸送及び建て付け作業を行うことができ、これらの端面を塞ぐための手段を不要とすることができる。
【００５２】
また、建て付けた引戸１に対してコーナー部品を取付けようとした場合、高所での作業となるところ、本発明では現場においては転倒防止部品２２を差し込むように挿入するだけでよいため、作業を簡易にすることができる。
【００５３】
メンテナンス等のため引戸１を取り外す場合には、転倒防止部品２２を框体１３から取り外す必要があるが、転倒防止部品２２はコーナー部品２１からは抜けないように係合しているので、コーナー部品２１を框体１３から取り外す必要がある。コーナー部品２１は、前述のように固定部２１ｄで縦框１２に対しネジ止め固定されているので、ネジを外すことで框体１３から容易に取り外すことができる。
【００５４】
以上、本発明の実施形態について説明したが、本発明の適用は本実施形態には限られず、その技術的思想の範囲内において様々に適用されうるものである。
【符号の説明】
【００５５】
１    引戸
２    天井
３    床面
４    壁面
５    上レール部
６    下レール部
１０    上框
１１    下框
１２    縦框
１３    框体
１４    パネル体
１５    垂下部
１６    水平部
１７    上開口部
１８    案内突部
２０    コーナー部品
２１    小口塞ぎ部品
２１ａ  横閉塞部
２１ｂ  縦閉塞部
２１ｃ  側面部
２１ｄ  固定部
２１ｅ  挿通部
２１ｆ  係合部
２１ｇ  係合片
２２    転倒防止部品
２２ａ  掛かり部
２２ｂ  挿入片部
２２ｃ  係合孔部
【図１】
2015010393.tif 000003
【図２】
2015010393.tif 000004
【図３】
2015010393.tif 000005
【図４】
2015010393.tif 000006
【図５】
2015010393.tif 000007
【図６】
2015010393.tif 000008
【図７】
2015010393.tif 000009
【図８】
2015010393.tif 000010
【図９】
2015010393.tif 000011
【図１０】
2015010393.tif 000012
【図１１】
2015010393.tif 000013